(57)【要約】      （修正有）【課題】未使用時収まりのよい巻取り機構の提供を図る。【解決手段】巻取り本体１と、巻取り本体１へ引き寄せられる被巻取り物３とを備え、巻取り本体１は、引き寄せられた被巻取り物３と当接する当接面４１を備え、被巻取り物３は、当接面４１と当接する被当接面５１を備え、当接面４１と被当接面５１の夫々は、巻取り本体１への接近方向に対し傾斜する斜面であり、前記斜面４１，５１同士が当接することにより、巻取り本体１への被巻取り物３の前記接近方向と直交する平面における位置決めを行う巻取り機構を提供する。【選択図】図１
2014201386.tif 000002
【特許請求の範囲】
【請求項１】
巻取り本体と、前記巻取り本体へ引き寄せられる被巻取り物とを備え、
前記巻取り本体は、引き寄せられた被巻取り物と当接する当接面を備え、
前記被巻取り物は、前記当接面と当接する被当接面を備え、
前記当接面と前記被当接面の夫々は、巻取り本体への接近方向に対し傾斜する斜面であり、前記斜面同士が当接することにより、巻取り本体への被巻取り物の前記接近方向と直交する平面における位置決めを行う巻取り機構。
【請求項２】
前記当接面と前記被当接面の、一方へ磁石を設け他の一方へ当該磁石に引き寄せられる磁石又は金属を設けて前記位置決めを確定させる磁力位置確定機構と、前記当接面と前記被当接面の、一方へ凹部を設け他の一方へ凸部を設けて前記凸部の前記凹部への挿入により前記位置決めを確定させる凹凸位置確定機構の、両方又は何れか一方の位置確定機構を採用したことを特徴とする請求項１記載の巻取り機構。
【請求項３】
前記巻取り本体に巻き取られる紐状体を備え、巻取り方向について前記紐状体の後端側に前記被巻取り物が設けられており、
前記紐状体の前記巻取りにより、前記被巻取り物は巻取り本体へ引き寄せられるものであり、
前記斜面同士が当接状態のときの前記被巻取り物における横方向の幅を前記被巻取り物の横幅とし、
前記当接面と前記被当接面のうちの一方の斜面に隣接する初期当接面を備え、前記初期当接面は、当該斜面の頂部を挟んで当該斜面に隣接する湾曲面であり、
前記巻取り中、前記初期当接面は、前記頂部よりも相対的に前記接近方向の前方へ位置し当該斜面よりも先に巻取り本体又は被巻取り物と接触し、巻取りの進行に従い、前記湾曲面に沿って前記接触の位置が移動して行くことにより、前記接触の位置は前記頂部へ案内されるものであり、案内後前記頂部を支点として被巻取り物が巻取り本体に対し相対的に回転することにより、前記被当接面が前記当接面へ向けられ、確実に被巻取り物の前記横幅の方向が水平状態となるまで前記巻取りを行うことができるようにした請求項１又は２記載の巻取り機構。
【請求項４】
巻取り本体は、ゼンマイバネと、ダンパーとを備え、
前記被巻取り物を前記ゼンマイバネの弾力で巻き寄せるものであり、前記ダンパーは巻取り本体にゆっくり巻取り動作を行わせ且つ最後はトルクを維持して前記水平状態まで被巻取り物を持ち上げるようにした請求項１乃至３の何れかに記載の巻取り機構。
【請求項５】
被巻取り物が物干し竿の挿通具であることを特徴とする請求項１乃至４の何れかに記載の巻取り機構。
【発明の詳細な説明】
【技術分野】
【０００１】
本願発明は、巻取り機構に関するものである。
【背景技術】
【０００２】
紐やコードなどの長尺状体の巻取りにおいて、リールなどの巻取り装置が広く普及している。
例えば、特許文献１に見られるように、室内に洗濯物を干すため、天井に巻取り装置を設置し、当該巻取り装置から引き出して垂れ下げた紐にて物干し竿を吊るすものが提案されている。
天井を利用して室内に洗濯物を干す場合、紐を利用する以外にも、物干し竿を天井に支持させる提案が種々なされている。しかし、特許文献２に見られるように、物干し竿を支持する支持部材を出没させるのに天井へ大掛かりな施工を必要とするものが多く、既に建てられた家屋に後から簡単に設置できるものではない。この点、上記の通り紐で物干し竿を吊るすものは、比較的小型の巻取り装置を天井に取り付ければよく、簡単に利用できるメリットが大きい。
【０００３】
上記の特許文献１について更に詳しく説明すると、特許文献１に示されたものは、浴室の壁面若しくは天井に取り付けられる左右の荷重支持部と、この荷重支持部から下方に垂下される左右の紐状体と、左右の紐状体に両端が接続される物干し竿と、左右の紐状体を上方に巻き上げることにより物干し竿を上昇させる巻き上げ装置とを備え、巻き上げ装置が、紐状体の巻取り用ドラムと、このドラムに回転力を付与するゼンマイバネとを備えた浴室用ハンガーである。
【０００４】
特許文献１の図４には、浴室の天井に上記の荷重支持部（荷重支持部１２）が取り付けられたものが示されている。
特許文献１に示されたものは、紐（紐状体）の下端に物干し竿が固定されており、物干し竿を使用しないときは、荷重支持部内のドラム２２に紐が巻き取られ、物干し竿は、天井に寄せられ荷重支持部に保持される。
一方、物干し竿を使用しないときは、物干し竿自体をハンガー即ち吊下げ固定部材から取り外して天井をすっきりとさせておきたいとの要請がある。このため、特許文献３において、上記紐の下端には物干し竿を抜き差し自在に保持する物干し竿の挿通具を取り付け、直接当該日紐に物干し竿を固定しないでおくことが可能な吊下げ固定部材が提案されている。
【先行技術文献】
【特許文献】
【０００５】
【特許文献１】特開２００６−１８１０２３号公報
【特許文献２】特開平１１−３３３１９７号公報
【特許文献３】特開２００７−４４２１９号公報
【発明の概要】
【発明が解決しようとする課題】
【０００６】
上記の通り、物干し竿を取り外し可能とした場合、使用をしないときは、物干し竿が外された上記の挿通具即ち被巻取り物を、荷重支持部即ち巻取り本体の定位置に寄せて、荷重支持の定位置に配置保持させ、天井をよりすっきりと見栄え良くさせておきたいものである。
一方上述の物干し竿が取り外せないハンガーの場合、使用しないときは、特許文献１の図６において二点鎖線で示される通り、物干し竿１４は、巻取り本体のケーシングの凹部へ収められる。物干し竿１４の左右両端がハンガーにて吊るされるため、このような物干し竿端部の上記凹部への収容は比較的確実に行なうことができる。
しかし、物干し竿を外すことができる、特許文献３へ示す吊り下げ固定部材において、物干し竿が取り外された紐下端の挿通具は、紐の自由端として何ら規制が無くなるので、紐の巻取りによって、上記の挿通具といった被巻取り物を巻取り本体の定位置へ毎回同じ向きに寄せるのは困難である。このように位置が定まらないため、巻取り後巻取り本体から被巻取り物が下方へ不規則に突出し天井を見苦しいものとしてしまう。
【０００７】
上記の事情に鑑み、本願発明は、被巻取り物を巻取り本体へ巻取る巻取り機構において、巻取り後の被巻取り物を巻取り本体の定位置に配置することができるものの提供を目的とする。
【課題を解決するための手段】
【０００８】
本願発明は、巻取り本体と、前記巻取り本体へ引き寄せられる被巻取り物とを備え、前記巻取り本体は、引き寄せられた被巻取り物と当接する当接面を備え、前記被巻取り物は、前記当接面と当接する被当接面を備え、前記当接面と前記被当接面の夫々は、巻取り本体への接近方向に対し傾斜する斜面であり、前記斜面同士が当接することにより、巻取り本体への被巻取り物の前記接近方向と直交する平面（仮想面）における位置決めを行う巻取り機構を提供する。
また、本願発明は、前記当接面と前記被当接面の、一方へ磁石を設け他の一方へ当該磁石に引き寄せられる磁石又は金属を設けて前記位置決めを確定させる磁力位置確定機構と、前記当接面と前記被当接面の、一方へ凹部を設け他の一方へ凸部を設けて前記凸部の前記凹部への挿入により前記位置決めを確定させる凹凸位置確定機構の、両方又は何れか一方の位置確定機構を採用した巻取り機構を提供する。
更に、本願発明は、前記巻取り本体に巻き取られる紐状体を備え、巻取り方向について前記紐状体の後端側に前記被巻取り物が設けられており、前記紐状体の前記巻取りにより、前記被巻取り物は巻取り本体へ引き寄せられるものであり、前記斜面同士が当接状態のときの前記被巻取り物における横方向の幅を前記被巻取り物の横幅とし、前記当接面と前記被当接面のうちの一方の斜面に隣接する初期当接面を備え、前記初期当接面は、当該斜面の頂部を挟んで当該斜面に隣接する湾曲面であり、  前記巻取り中、前記初期当接面は、前記頂部よりも相対的に前記接近方向の前方へ位置し当該斜面よりも先に巻取り本体又は被巻取り物と接触し、巻取りの進行に従い、前記湾曲面に沿って前記接触の位置が移動して行くことにより、前記接触の位置は前記頂部へ案内されるものであり、案内後前記頂部を支点として被巻取り物が巻取り本体に対し相対的に回転することにより、前記被当接面が前記当接面へ向けられ、確実に被巻取り物の前記横幅の方向が水平状態となるまで前記巻取りを行うことができるようにした巻取り機構を提供する。
また更に、本願発明では、巻取り本体が、ゼンマイバネとダンパーとを備え、前記被巻取り物を前記ゼンマイバネの弾力で巻き寄せるものであり、前記ダンパーは巻取り本体にゆっくり巻取り動作を行わせ且つ最後はトルクを維持して前記水平状態まで被巻取り物を持ち上げるようにした巻取り機構を提供できた。
更にまた、本願発明では、被巻取り物が物干し竿の挿通具である巻取り機構を提供した。
【発明の効果】
【０００９】
本願発明は、巻取り機構において、巻取り本体の前記当接面と、被巻取り物の前記被当接面とを、斜面にして、巻取り本体に対する平面的な位置決め、即ち巻取り本体に対する被巻取り物の接近方向と直交する平面における位置決めをすることにより、巻取り後の被巻取り物を巻取り本体の定位置に配置することができるものとした。
特に本願発明は、磁力位置確定機構と凹凸位置確定機構の少なくとも一方により、上記の平面的な位置を確定させることができる。
また、本願発明では、前記当接面又は被当接面に隣接する初期接触面を湾曲面とすることにより巻取り中被巻取り物の向きの変更を円滑に行えるものとした。その結果、巻き取り動作の進行により、当接面に対する被当接面の回転の支点まで円滑に初期接触面と被巻取り物又は巻取り本体との接触位置を案内することができる。そして、当該支点を中心に当接面に対し被当接面を回転させることにより、確実に被巻取り物が水平状態となるまで巻取りを行うことができる。
更に、本願発明では、本願発明は、被巻取り物をゼンマイバネの弾力で引き寄せる際に、ダンパーを設けてゆっくり巻取りを行い且つ最後はトルクを維持して水平まで被巻取り物を持ち上げることで、安定した動作を可能とした。これにて、より確実に被巻取り物を所定の位置に収めることができる。また、被巻取り物の急激な動作を防止し、更に、巻取り本体と被巻取り物との激突を回避した。この急激な動作の防止や激突の回避にて、大きな音を発することを防止したり装置や紐状体の耐久性を向上させることができる。
巻取り機構は、物干し竿を吊るすものに限定するものではないが、本願発明において被巻取り物を物干し竿の挿通具とすることによって、使用しないとき物干し竿を外しておくことができるものとしつつ、当該挿通具を巻取り本体の定位置へ配置することを可能とした。
【図面の簡単な説明】
【００１０】
【図１】（Ａ）は本願発明に係る巻取り機構を備えた装置の一実施の形態における使用状態を示す側面図、（Ｂ）は（Ａ）の底面図、（Ｃ）は（Ａ）の装置の未使用時水平まで被巻取り物を持ち上げた状態即ち被巻取り物を巻取り本体へ折り畳んだ状態を示す側面図。
【図２】（Ａ）は図１（Ｂ）のＡ−Ａ断面図、（Ｂ）は図１（Ｃ）の底面図、（Ｃ）は図１（Ａ）の斜視図、（Ｄ）は図１（Ｂ）の紐状体を除いた状態を示す一部切欠要部拡大底面図。
【図３】（Ａ）は図１（Ａ）の一部切欠要部拡大側面図、（Ｂ）は（Ａ）の紐状体を更に巻取り初期接触面が巻取り本体へ当接した状態を示す一部切欠要部拡大側面図、（Ｃ）は（Ｂ）の紐状体を更に巻取ることにて水平まで被巻取り物を持ち上げた状態を示す一部切欠要部拡大側面図、（Ｄ）は被当接面５１の他の実施の形態を示す被巻取り物３の一部切欠要部斜視図。
【発明を実施するための形態】
【００１１】
以下、図面に基づき本願発明の実施の形態を説明する。この実施の形態は、物干し竿やハンガなどの物干しを室内にて天井から吊り下げる、物干しの吊下げ装置において、本願発明に係る巻取り機構を実施したものである。
この装置は、物干し竿ｍやハンガーなどの物干しと、独立して天井ｔに設けられるものである。
この例では、吊下げ装置は、天井ｔの２箇所に設けられ物干し竿ｍの両端を支持する。尚、物干し竿ｍの一方の端部を支持する吊り下げ装置のみ図示し、他の一方の吊り下げ装置の図示を省略する。
【００１２】
（基本構成）
この装置は、図１へ示す通り、天井ｔに取り付けられる巻取り本体１と、この巻取り本体１から下方に垂下する紐状体２と、紐状体２の下端に設けられた被巻取り物３とを備える。巻取り本体１は、天井ｔから吊り下げられる部材の荷重を受ける荷重支持部である。被巻取り物３は、天井ｔから吊り下げられる部材を着脱自在に保持し或いは係止するものである。この例では、天井ｔから吊り下げられる部材というのは、上記の物干しである。
被巻取り物３を使用しないとき、巻取り本体１に紐状体２が巻付けられることにて、被巻取り物３は、上方の巻取り本体１へ引き寄せられ巻付け本体１と当接する。従って、被巻取り物３は、上下方向を巻取り本体１への接近方向とする。
【００１３】
（巻取り本体１）
巻取り本体１は、図２（Ａ）へ示す通り、天井ｔへ取り付けられるケーシング１０と、このケーシング１０内に回動可能に配位されたドラム１１と、このドラム１１に回転力を付与するゼンマイバネ１２と、ドラム１１の急激な回転を抑えるダンパー１３と備える。ドラム１１には紐状体２の先端即ち上端が固定され、このドラム１１が回動することによって、ドラム１１に紐状体２が巻き付けられ、巻き解かれる。
この例では、上記のダンパー１３は周知のオイルダンパーである。ダンパー１３はドラム１１の急激な回転を抑えて紐状体２をゆっくりドラム１１へ巻き取らせることができれば、オイルダンパー以外の周知のものを採用してもよい。また、ダンパー１３を設けても、巻き上げのトルクによって、ドラム１１への紐状体２の巻き取りは最後まで確実に行うことができる。
ゼンマイバネ１２は、一端がケーシング１０側に固定され、他端がドラム１１側に固定されることにより、このドラム１１を、紐状体２が巻き付けられる方向に回動するように常時付勢している。従って、ドラム１１及びゼンマイバネ１２が、紐状体２を上方に巻き上げることにより物干し竿ｍを上昇させるための巻き上げ装置として機能する。
【００１４】
上記ケーシング１０は、この例では、逆円錐台形に形成されている。ケーシング１０の上面は、天井ｔに固定される。ケーシング１０の下面は、被巻取り物３の接近方向に対し直交する略水平な面である。
ケーシング１０の下面は、当該下面の他の部位よりも下方へ突出する突出部４を備える。但し、ケーシング１０の形状は、上記円錐台に限定するものではなく、他の形状に変更可能である。
【００１５】
突出部４の先端側即ち下端側は、被巻取り物３と当接する当接面４１を備える。
当接面４１は、この例における被巻取り物３の巻取り本体１への接近方向である上下方向に対し傾斜する、斜面である。
突出部４は、巻取り本体１の円形の底面において、当該円の中心よりも円周寄りに設けられている。
具体的に、図１（Ａ）及び図２（Ａ）において、突出部４は、巻取り本体１の下面において、左右横方向について真ん中よりも左側に設けられ、上記当接面４１は、左上から右下へ傾斜している。
ケーシング１０の下面に対する当接面４１の突出幅の最も小さい部分が、ケーシング１０下面の外周に対し、当接面４１上最も近接する部位である。この例では、上記の当接面４１の突出幅の最も小さい部分というのは、当該突出幅が０であり、ケーシング１０の側面視において、ケーシング１０の下面と一致している。
当接面４１におけるケーシング１０下面の上記外周に最も近接する部位と当該外周との間を結ぶ部分が、初期受け部４３を形成する。初期受け部４３は、この例では、ケーシング１０の下面の一部であり、平らである。この他、初期受け部４３は凹曲面として形成することも可能である。また、上記の当接面４１の突出幅の最も小さい部分の突出幅が０でないものとし、突出部４側面における突出幅の最も小さい当該部分に接する部位を上記初期受け部４３としても実施できる。
【００１６】
当接面４１には、図２（Ｄ）へ示すように、紐状体２の引き出し部として、ケーシング１０の下面からケーシング１０内部へ通じる出入口４０が設けられている。
この例では、出入口４０は、略半円形の輪郭を有する当接面４１の弦と直交する方向に伸びる瓢箪型の穴である。尚この例では、当接面４１の上記弦が、前述の、当接面４１における突出幅の最も小さい部分である。
出入口４０の当該瓢箪の大径部分にて紐状体２のケーシング１０への出し入れを行い、当該瓢箪の小径部分に紐状体２を引っ掛けることにより、紐状体２がケーシング１０内に引き込まれるのを阻止することができる。
【００１７】
更に、当接面４１には、磁石４２が設けられている。この例では、図２（Ｄ）へ示す通り、磁石４２は、上記出入口４０を挟んで２箇所に設けられている。
但し、磁石４２は、当該個数や配置に限定されるものではなく、当接面４１の他の個所に設けるものとしてもよく、１個設けるものとしても、３個以上設けるものとしてもよい。特に、当該磁石を２箇所以上に設けるのが、後述の位置決めを確実に行える点で、好ましい。
【００１８】
（紐状体２）
紐状体２は、ロープ、ワイヤーなどの長尺状で柔軟性を有する、巻き取り可能なものである。紐状体２の先端側は前述の通りドラム１１に固定されている。紐状体２の後端側は、上記出入口４０からケーシング１０の外部に出され、上記被固定物３に固定されている。
紐状体２は、被巻取り物３を使用しないとき、前述の通り上記ゼンマイバネ１２の弾力にて回転するドラム１１に巻き取られ、被巻取り部３を使用するとき出入口４０から引き出されドラム１１から巻き解かれる。
【００１９】
（被巻取り物３）
被巻取り物３は、図２（Ｂ）（Ｃ）へ示す通り、円形の輪郭をなす環状部３１と、中空の環状部３１の内側に設けられた物干しの掛け部３２と、結合部３３とを備える。
環状部３１の直径は、巻取り本体１のケーシング１０の下面の直径と略同じである。但し、環状部３１の直径は、巻取り本体１のケーシング１０の下面の直径よりも、小さくても或いは大きくても実施可能である。またこの例では、図２（Ｂ）へ示す通り、環状部３１は、上記ケーシング１０の円形の下面と略同心に配置される。
図１（Ｃ）へ示す通り、巻取り完了の状態において、巻取り本体１のケーシング１０と被巻き取り物３との間には隙間が開いている。被巻取り物３は、ケーシング１０の下面と接して、当該隙間を設けないものとしてもよい。但し、当該隙間を開けておくことにより、被巻取り物３に指や吊下げハンガーのフックを掛け易く、被巻取り物３を引き出すのに便利である。
上記の他、環状部３１は、ケーシング１０の上記下面と同心とならないように配置されるものとしてもよく、平面視において、被巻取り物３は巻取り本体１からはみ出すものであってもよい。
また、環状部３１を、正円の他楕円形に形成し、或いは環状部３１の外周において横方向へ突出する突出部分を設けて、図１（Ｃ）の巻取り状態から被巻取り物３を引き出すとき、指掛かりや物干しの吊下げフックを引っ掛ける引掛け部としても実施できる。また、上記引き出しの際の指掛かりとして、図１（Ｃ）へ破線で示す通り、結合部３３の下面即ち副突出部５と反対側へ、引き紐ｈを設けておくものとしても実施できる。尚、この実施の形態では、引き紐ｈは設けていない。
【００２０】
掛け部３２は、物干し竿の挿通部として、環状に形成された瓢箪型の輪郭を備える枠体である。当該瓢箪の大径部分が物干し竿の挿入部３２ａであり、当該瓢箪の小径部分が物干し竿の係止部３２である。
図１（Ａ）及び図２（Ａ）において、上記挿通部３２ａへ物干し竿ｍが通される。図１（Ａ）及び図２（Ａ）へ示す使用状態において、係止部３２ｂは挿入部３２ａの下方へ位置するものとする。
大径の上記挿入部３２ａへ物干し竿ｍを挿入した後、小径の上記係止部３２ｂへ物干し竿ｍを強制移動させて、二点鎖線で示す通り、物干し竿ｍを係止部３２ｂへ係止し保持させればよい。この他、挿入部３２ａに物干し竿ｍを係止・保持させると共に、係止部３２ｂには、靴下などの小物の吊下げハンガー（図示しない。）のフックを掛けて当該ハンガーを吊るしてもよい。
掛け部３２の上記小径部分は、環状部３１と繋がっている。掛け部３２の上記大径部分は、結合部３３を介して環状部３１と繋がっている。
結合部３３は、上記大径部分に対し、上記小径部分の反対側に設けられている（図２（Ｂ）（Ｃ））。
被巻取り物３へ上記の環状部３１を設けずに実施することができる。但し、瓢箪型の掛け部３２だけでは、瓢箪の括れ部分が物干し竿ｍの移動や重さによって伸びる危惧がある。従って、強度を確保するために、環状部３１を設けておくのが好ましい。また、巻取り本体１と被巻取り物３の一体感によるデザイン向上の面でも、環状部３１を設けておくのが好ましい。
また、被巻取り物３は、瓢箪型の上記掛け部３２を備えず、上記の環状部３１に物干し竿やハンガーを掛けるものとしてもよい。更に、被巻取り物３は、円形や瓢箪型以外の形状の掛け部３２を備えるものであってもよい。
【００２１】
上記結合部３３に上記紐状体２の後端部が固定されている。
詳しくは、巻取り完了状態における結合部３３の巻取り本体１を臨む面において、結合部３３に当該面の他の部位よりも突出する副突出部５が設けられている（図１（Ｃ））。
副突出部５には、巻取り本体１の上記突出部４の当接面４１と対応する被当接面５１が設けられている。
図１（Ｃ）へ示す通り、被巻取り物３は、巻取り完了状態即ち環状部３１の径方向を水平にした状態において、被当接面５１は、当接面４１と同じ傾きにて、被巻取り物３の巻取り本体１への接近方向である上下方向に対し傾斜する、斜面である。
具体的に、図１（Ｃ）に示す状態において、副突出部５は、被巻取り物３の上面において、左右横方向について真ん中よりも左側に設けられ、上記副当接面５１は、左上から右下へ傾斜している。
この被当接面５１に紐状体２の後端が固定されている。
【００２２】
図２（Ｄ）へ示す通り、当接面４１と被当接面５１とを重ね合わせた際に出入口４０から出ている紐状体２が当接面４１と被当接面５１の当接を邪魔しないように、被当接面５１には、紐状体２を収容する溝５０が設けられている。当該溝５０内に紐状体２の上記後端が固定されているのである。
当該溝５０を挟んで、当接面４１の磁石４２と対応する、被当接面５１の２箇所に磁石５２が設けられている。被当接面５１の当該磁石５２は、当接面４１の磁石４２の露出側における極性と逆の極性側を露出させている。但し、当接面４１の磁石４２と被当接面５１の当該磁石５２の何れか一方を鉄などの磁性を有する金属に代えてもよい。
【００２３】
被巻取り物３において、環状部３１（図２（Ｂ）（Ｃ））が呈する円の中心から外れた偏心位置に紐状体２が固定されている。即ち、前述の通り、当該円の外周付近にある結合部３３の上記被当接面５１へ紐状体２は固定されている。このため、図１（Ａ）及び図２（Ａ）へ示す被巻取り物３を下方へ引き出し垂れ下げた状態では、被巻取り物３の環状部３１は、直径方向を上下方向に向け縦になる。このように縦となることにより、被巻取り物３の上記外周の、結合部３３付近が上になり、結合部３３から最も遠い部分が下になる。
この図１（Ａ）及び図２（Ａ）の状態において、副突出部５の被当接面５１における最も突出幅の大きな部分即ち被当接面５１の斜面の最も高い位置となる当該斜面の頂部ｐが被当接面５１における最上部となる。
一方、副突出部５１は被当接面５１を平らな面とするも、その側面は凸状の湾曲面である。この例では、副突出部５１の側面は、球面である。
図１（Ａ）及び図２（Ａ）の状態において、副突出部５側面の上方を臨む部位が、被巻取り物３の外周即ち環状部３１の外周の最上部と被当接面５１の斜面の前記頂部ｐとの間を結び初期当接面６を形成する。
具体的には、前記初期当接面６は、被当接面５１の前記頂部ｐを挟んで被当接面５１に隣接する湾曲面である。
初期当接面６は金属特にアルミニウムとするのが、初期当接面６の後述する回転を円滑に行う上で効果的である。但し、前述の初期受け部４３の側をアルミニウムにて形成するものであっても実施可能である。また、初期当接面６が円滑に回転できるものであれば、初期当接面６や初期受け部４３は、アルミニウム以外の金属や、プラスチック、セラミックといった金属以外の部材にて形成することができ、上記のアルミニウムに限定するものではない。
被巻取り物３を吊るす紐状体３の後端は、上記溝５０内に固定されており、図１（Ａ）及び図２（Ａ）へ示す被巻取り物３を垂れ下げた状態において、被当接面５１における最上部から巻取り本体１のある上方へ向けて伸びる。
図１（Ａ）及び図２（Ａ）へ示す被巻取り物３を垂れ下げた状態において、初期当接面６は、前記頂部ｐよりも前記接近方向の前方へ即ち前記頂部ｐよりも上方へ位置し、且つ、紐状体２の後端付近は、被当接面５１に沿う。そして紐状体２は前述の被当接面５１の最上部でもある被当接面５１の前記頂部ｐを通って上方の巻取り本体１側へ伸びることとなる。
【００２４】
（巻取り動作）
図１（Ａ）へ示すように、物干し竿ｍを支持する場合、巻取り本体１から紐状体２が巻き解かれ、被巻取り物３は図示の通り上記の直径方向を縦にし、挿通部３２ａへ物干し竿ｍが通される。
物干し竿ｍの使用後において、物干し竿ｍが掛け部３２から抜かれた後に紐状体２を出入口４０の大径部分へ移行させて、紐状体２をゼンマイバネ１２の弾力にて回転するドラム１１に巻き取らせる。このようにして、図３（Ａ）へ示す通り、被巻取り物３は巻取り本体１のある上方へ移動する。当該移動が進むと図３（Ｂ）へ示す通り、最初に被巻取り物３の上記初期当接面６が巻取り本体１の初期受け部４３へ当接する。
即ち、初期当接面６は、前記受け部４３にて、被当接面５１よりも先に巻取り本体１のケーシング１０下面と接触する。巻取りの進行により、初期当接面６の湾曲面に沿って初期当接面６と前記受け部４３の前記接触の位置が移動して行く。当該移動により、前記接触の位置は前記頂部ｐへ案内される。当該案内後前記頂部ｐを支点として被巻取り物３が巻取り本体１に対し相対的に回転することにより、被当接面５１が当接面４１へ向けられて両面が対面する。巻取り本体１は、当該対面まで、紐状体２を巻取ることができる。最終的に紐状体２の後端付近は溝５０内に収容され当接面４１と被当接面５２同士が当接状態となり、磁石４２が磁石５２と引き合う。この当接状態にて、被巻取り物３の横方向即ち直径方向が水平となる。このように、確実に被巻取り物３の横幅の方向即ち環状部３１の径方向が水平状態となるまで巻取りを行うことができる。
【００２５】
（変更例）
上記において、磁石４２，５２が、上記の位置決めを確定させる位置確定機構、即ち磁力位置確定機構を構成する。この他、当該位置確定機構は、当接面４１と被当接面５１の一方に凹部を設け、他方に凸部を設けて、当該凹部と凸部の対応により位置を確定する、凹凸位置確定機構としてもよい（図示しない）。この場合、凹部と凸部は、当接面４１と被当接面５１の夫々に、１つ又は複数設ける。また、上記の磁力位置確定機構と凹凸位置確定機構の双方を備えるものとしても実施できる。
上記の各実施の形態において、当接面４１と被当接面５１へ、位置確定機構を設けるものとした。図示は省略するが、この他、巻取り本体１と被巻取り物３の夫々において、当接面４１と被当接面５１以外の箇所に位置確定機構を設けるものとしてもよい。更に、上記凹凸位置確定機構における凹部の内周面と凸部の外周面のうち、一方に斜面を当接面４１として設け、他方に当該斜面と対面する斜面を被当接面５１として設けて実施してもよい。
被巻取り物３において、前述の環状部３１の突出部分やはみ出し部分或いは図１（Ｃ）の引き紐ｈを、副突出部５より遠い位置即ち、環状部３１の円の中心を挟んで、副突出部５と反対側に設けることにより、被巻取り物３を開き易いものとすることができる。但し、被巻取り物３の開閉の支点となる副突出部５即ち結合部３３から離れた位置が重くなると、被巻取り物３が必要以上に開き易くなる。このため、前述の位置確定機構の機能が経時に低下した場合を考慮し、図１（Ｃ）へ示す通り、結合部３３に或いは結合部３３に前記引き紐ｈを設けておくのが好ましい。
上記において、ドラム１１の駆動手段として、ゼンマイバネ１２を用いて、ドラム１１を回転させるものとしたが、モーターを駆動手段として採用することもできる。
また、被巻取り物３が荷重支持部として天井に固定され、巻取り本体１が上記掛け部３２を備えて天井から吊り下げられるものとしても実施できる。
なお、ドラム１１から引き出された紐状体２が安定して出入口４０に導かれるように、案内ローラ（図示せず）を設けて実施してもよい。
また、上記において、巻取り装置を２個１対で使用する例を示したが、物干し竿以外の即ちハンガーなどの物干しを天井に吊るす場合、巻取り装置を１個のみ天井に設けて使用するものとしても実施できる。また、３個以上の巻取り装置を天井に設けて実施することも可能である。
更に、本願発明に係る巻取り機構は、物干しの吊下げ装置の実施に限定するものではなく、巻取り本体１から垂下する紐状体２の下端に設けられた被巻取り物３を、巻取りにより確実に巻取り本体１の所定の位置に配置することを必要とする、他の巻取り装置に実施することができる。
また、本願発明に係る巻取り機構を利用する巻取り装置についても、巻取り本体１が天井に固定され垂れ下がった紐状体２を巻き取るものに限定するものではない。例えば、横方向を巻取り本体１への被巻取り物３の接近方向とするものに実施することも可能である。
具体的な例を示すと、店頭において、商品である携帯電話やスマートフォンなどの携帯品を展示する商品立てに本願発明を実施することができる。この場合、被巻取り物３は、携帯電話を保持する保持部として形成しておき、携帯電話の展示中、巻取り本体１と被巻取り物３とを一体として携帯電話を立て、入店者が携帯電話を掴んで紐状体２を巻取り本体１から引き出すことにより、携帯電話を手に取って操作できるものとするのである。
【００２６】
上記の実施の形態において、紐状体２の後端側は、被巻取り物３において被当接面５１に固定するものとした。この他、紐状体２の後端側は、被巻取り物３の被当接面５１以外の箇所に固定するものとしてもよい。例えば、図２（Ｄ）へ示通り、被巻取り物３には、２個以上の副突出部５が互いの間隔を開けて設けられており、副突出部５の夫々が互いの傾斜の向きや角度を等しくする被当接面５１を備え、被当接面５１ではなく、副突出部５同士の間にて、紐状体２の後端側を被巻取り物３に固定するものとしても実施できる。即ち、被巻取り物３へ２箇所以上の被当接面５１を設けて、紐状体２を被巻取り物３の被当接面５１へ囲まれた、被当接面５１間の部位に設けるものとしても実施できる。
また、被当接面５１が単一のものであっても被当接面５１以外の箇所へ紐状体２後端を固定することができる。例えば、紐状体２後端を被巻取り物３の被当接面５１以外の箇所に固定し、平面視における被当接面５１の形状を、環状体やＣ字型といった湾曲又は屈曲形状として、当該固定箇所を囲むものとしても実施できる。
巻取り本体１の出入口４０についても、図示した当接面４１へ設ける以外に、上記被当接面５１と同様の構成を採ることにより、ケーシング１０の当接面４１以外の部位に設けて実施することもできる。
【００２７】
（その他）
吊り下げ装置を浴室に設けて物干し竿を吊るす場合や、物置など狭い空間にて物干し竿を吊り下げる場合、部屋の側壁に、物干し竿を下支えする、特許文献１の図４へ示す下方部材と同様の副支持部材を設けて実施するものとしてもよい。巻取り本体１が荷重支持部として十分な強度を有する場合、図示した実施の形態のように、このような副支持部材を設けずに実施することができる。
【符号の説明】
【００２８】
１    巻取り本体
２    紐状体
３    被巻取り物
４    突出部
５    副突出部
６    初期当接面
１０  （巻取り本体１の）ケーシング
１１    ドラム
１２    ゼンマイバネ
１３    ダンパー
３１    環状部
３２    掛け部
３２ａ  挿通部
３２ｂ  ハンガー係止部
４０    出入口
４１    当接面
４２    磁石
５１    被当接面
５２    磁石
５３    溝
ｍ    物干し竿
ｔ    天井
【図１】
2014201386.tif 000003
【図２】
2014201386.tif 000004
【図３】
2014201386.tif 000005